(57)【要約】【課題】右利きのユーザがしっかりホールドできるカメラを提供する。【解決手段】デジタルカメラ２はカメラボディ３とレンズ鏡筒４とからなる。カメラボディ３の左側には把持部１１が設けられ、カメラボディの右側にはカメラボディ側マウント部が形成されている。レンズ鏡筒４の外周には撮影ボタン２２及びズーム操作ボタン２４が設けられている。カメラボディ３の把持部はユーザの左手によって把持され、レンズ鏡筒４は右手によって把持される。これにより、右利きのユーザは左手で把持部１１を把持し、右手でレンズ鏡筒４の外周を把持しながら、右手の指で撮影ボタン２２を押圧することができ、レンズ鏡筒が大きく重たい場合でもしっかりホールドすることができる。【選択図】図７
2007279486.tif 000002
【特許請求の範囲】
【請求項１】
前面側から見て右側端がユーザの左手によって把持される把持部とされたカメラボディと、
前記カメラボディを前面側から見て左側に、ユーザの右手によって把持できるようにカメラボディの前面から突出したレンズ鏡筒とを備えることを特徴とするカメラ。
【請求項２】
前記把持部の背面に、ユーザによって操作される操作部を設けたことを特徴とする請求項１記載のカメラ。
【請求項３】
前記レンズ鏡筒の外周面に、被写体の撮影を開始するときに操作される撮影ボタンと、変倍時に操作されるズームボタンとのうち少なくともどちらか一方を設けたことを特徴とする請求項１または２記載のカメラ。
【請求項４】
前記レンズ鏡筒内に備えられた撮影光学系によって結像された被写体光を画像信号に変換するイメージセンサと、前記イメージセンサからの画像信号を基に形成された画像データを記録する記録手段とを備えることを特徴とする請求項１ないし３いずれか１つ記載のカメラ。
【請求項５】
前記カメラボディを背面側から見て右側の背面に、前記画像信号を基に画像を表示する表示画面を設けたことを特徴とする請求項４記載のカメラ。
【請求項６】
前記レンズ鏡筒は、前記カメラボディに着脱自在に装着されるとともに、前記イメージセンサを内蔵することを特徴とする請求項４または５記載のカメラ。
【発明の詳細な説明】
【技術分野】
【０００１】
本発明はレンズ鏡筒およびレンズ鏡筒を保持するカメラボディとから構成されたカメラに関するものである。
【背景技術】
【０００２】
現在、写真フィルム上に被写体画像を記録する銀塩式カメラや、イメージセンサからの信号を基に形成された画像データを記録媒体に記録する電子カメラなどのカメラが普及している。これらのカメラは、撮影光学系を保持するレンズ鏡筒とこのレンズ鏡筒を保持するカメラボディとからなり、中にはレンズ鏡筒をカメラボディに着脱自在に装着できるものもある。撮影時は、ユーザは左右両方の手でカメラを保持するとともに右手でカメラボディに設けられたシャッタボタン等を押圧していた。
【０００３】
一方、イメージセンサからの画像信号を基に被写体の画像データを形成する電子カメラとして、被写体の静止画像の画像データを記録媒体に記録するデジタルカメラでは、特許文献１に示すように、レンズ鏡筒の取り扱いを容易にするため、撮影光学系及びイメージセンサを有するレンズ鏡筒と、このレンズ鏡筒を着脱自在にマウントしレンズ鏡筒を制御するカメラボディとからなるものが示されている。さらに、特許文献２にはレンズ鏡筒の一端にコネクタ増設用のスペースを形成し、カメラボディに備えられたマウント部にレンズ鏡筒の一端に対応してコネクタを増設できるスペースを設け、機能を拡張した際にコネクタを増設することなどに対応できるようにしたデジタルカメラが示されている。
【特許文献１】特開平８−１７２５６１号公報
【特許文献２】特開２００３−２１５６８９号公報
【発明の開示】
【発明が解決しようとする課題】
【０００４】
デジタルカメラは、銀塩カメラのようにフイルムを収納するスペースやフイルム給送機構等が必要なく、カメラボディの小型化が可能であり、このためカメラボディに装着されるレンズ鏡筒は相対的に大きくなる。しかしながら、従来のカメラでは、背面から見てカメラボディの右側にユーザに把持されるグリップを備え、カメラボディの左側にレンズ鏡筒を備えているため、グリップ部がユーザの右手によって把持され、レンズ鏡筒もしくはカメラボディの左側がユーザの左手によって把持されるようになっており、右利きのユーザはレンズ鏡筒を右手で把持できず、このため、例えばレンズ鏡筒が大きく重たい場合に、カメラをしっかりホールドすることができない場合があった。
【０００５】
本発明は上記の事情に鑑みてなされたものであり、その目的は、右利きのユーザがしっかりホールドしながら被写体を撮影できるカメラを提供することにある。
【課題を解決するための手段】
【０００６】
上記の目的を達成するために、本発明のカメラでは、前面側から見て右側端がユーザの左手によって把持される把持部とされたカメラボディと、カメラボディを前面側から見て左側に、ユーザの右手によって把持できるようにカメラボディの前面側から突出したレンズ鏡筒とを備えることを特徴とする。
【０００７】
また、把持部の背面に、ユーザによって操作される操作部を設けたことを特徴とする。
【０００８】
また、レンズ鏡筒の外周面に、被写体の撮影を開始するときに操作される撮影ボタンと、変倍時に操作されるズームボタンとのうち少なくともどちらか一方を設けたことを特徴とする。
【０００９】
また、レンズ鏡筒内に備えられた撮影光学系によって結像された被写体光を画像信号に変換するイメージセンサと、イメージセンサからの画像信号を基に形成された画像データを記録する記録手段とを備えることを特徴とする。
【００１０】
また、カメラボディを背面側から見て右側の背面に、画像を表示する表示画面を設けたことを特徴とする。
【００１１】
また、レンズ鏡筒は、カメラボディに着脱自在に装着されるとともに、イメージセンサを内蔵することを特徴とする。
【発明の効果】
【００１２】
本発明のカメラによれば、前面側から見て右側端がユーザの左手によって把持される把持部とされたカメラボディと、カメラボディを前面側から見て左側に、ユーザの右手によって把持できるようにカメラボディの前面側から突出したレンズ鏡筒とを備えることにより、右利きのユーザは利き手でレンズ鏡筒を把持し、左手でカメラボディを把持してカメラをしっかりホールドすることができ、これにより右利きのユーザはカメラをしっかりホールドしながら被写体を撮影することができる。
【００１３】
また、把持部の背面に、ユーザによって操作される操作部を設けたことにより、左手は把持部を把持しながら操作部を操作することが可能となり、カメラの利便性を高めることができる。
【００１４】
また、カメラボディの背面側から見て、カメラボディの背面の右側に、画像を表示する表示画面を設けたことにより、表示画面がユーザの手に遮られることがなく、表示画面の視認性を高めることができる。
【００１５】
また、レンズ鏡筒内に備えられた撮影光学系によって結像された被写体光を画像信号に変換するイメージセンサと、イメージセンサからの画像信号を基に形成された画像データを記録する記録手段とを備えることにより、レンズ鏡筒に備えられたイメージセンサによって被写体光が電気的な信号に変換され、この信号を基に形成された画像データが記録手段よって記録されるため、右利きのユーザがしっかり保持できるデジタルカメラを提供することができる。
【００１６】
カメラボディを背面側から見て右側の背面に、画像を表示する表示画面を設けたことにより、被写体を確認しながら撮影することができる。
【００１７】
また、レンズ鏡筒は、カメラボディに着脱自在に装着されるとともに、イメージセンサを内蔵することにより、利便性の高いカメラを提供することができる。
【発明を実施するための最良の形態】
【００１８】
本発明のデジタルカメラを図１に示す。デジタルカメラ２はカメラボディ３とレンズ鏡筒４とから構成されている。カメラボディ４の上部には、静止画撮影モード、再生モードなどのデジタルカメラ２のモードを変更するために回動操作されるモードダイヤル１３、前方にストロボ光もしくはＡＦ補助光を照射する発光部７等が設けられている。カメラボディ３の前面には、レンズ鏡筒４に形成された鏡筒側マウント部１５を嵌め込むためのカメラボディ側マウント部９やグリップ部（把持部）１１が形成されている。カメラボディ側マウント部９の近くにはレンズ鏡筒４をカメラボディ３から取り外す際に押圧操作されるマウント解除ボタン１４が設けられており、マウント解除ボタン１４を押すことでレンズ鏡筒４をカメラボディ側マウント部９から分離させることが可能となる。なお、図示しないが、デジタルカメラ２の側部には、ＵＳＢポート、ＩＥＥＥ１３９４ポート、ビデオ端子等が備えられている。
【００１９】
レンズ鏡筒４は、鏡筒本体４ａ、複数のレンズ群、ＣＣＤイメージセンサ２０等からなる。鏡筒本体４ａは略円柱形状に形成され、その一端からは第１レンズ群Ｇ１が露呈し、その内部にはＣＣＤイメージセンサ２０等が組み込まれ、レンズ鏡筒４の他端にはボディ側マウント部９と組み合わされる鏡筒側マウント部１５が形成されている。鏡筒本体４ａの外周には、画像データの記録を開始させるときに押される撮影ボタン２２、望遠状態もしくは広角状態に移行させるときに操作されるズームボタン２４が設けられている。レンズ鏡筒４は、例えば右手で把持できるようになっており、親指が外周の一方の周方向に沿って掛けられ、人差し指、中指、薬指、小指が外周の他方の周方向に沿って掛けられてレンズ鏡筒４が把持される。レンズ鏡筒４はユーザの右手で把持された状態で、撮影ボタン２２、及びズームボタン２４は、人差し指や中指などで押圧操作される。
【００２０】
鏡筒側マウント部１５には、例えば３個のバヨネット爪が形成され、カメラボディ側マウント部９にはレンズ側のバヨネット爪に対応したバヨネット係合爪が形成されている。鏡筒側マウント部１５には複数の接点（図示省略）が設けられ、カメラボディ側マウント部９には接続端子に接触する図示しない端子が設けられている。これら接点及び端子は後述するシリアルＩ／Ｆとともに有線通信を可能にしており、レンズ鏡筒４がカメラボディ３に装着されたときに互いに接触してレンズ鏡筒４とカメラボディ３とが電気的に接続された状態となる。レンズ鏡筒４がカメラボディ３に装着された状態では、撮影ボタン２２はレンズ鏡筒４の上端に位置している。
【００２１】
図２に示すように、カメラボディ３の背面には、被写体のスルー画像やメニュー画像を表示する表示画面である液晶パネル２６、十字操作ボタン２８、液晶パネル２６のＯＮ／ＯＦＦを切り替えるための表示ボタン３１や、メニュー画面の表示や確認時に押される実行ボタン３２等が備えられている。モードダイヤル１３が静止画撮影モードに合わせられたときには、液晶パネル２６に被写体画像が一定期間ごとに更新されるスルー画像が表示される。
【００２２】
図３に示すように、デジタルカメラ２を前面から見ると、カメラボディ３の左側にレンズ鏡筒４が配置され、カメラボディ３の右端部に、ユーザによって把持されるグリップ部１１が形成されている。グリップ部１１はユーザの左手に把持され、レンズ鏡筒４はユーザの右手に把持される。
【００２３】
図４に示すように、カメラボディ３の背面の右側には液晶パネル２６が配置され、カメラボディ３の左側には操作部である十字操作ボタン２８、表示ボタン３１、実行ボタン３２が配置されている。十字ボタン２８の下方に表示ボタン３１及び実行ボタン３２が配置されており、これらのボタンは、グリップ部に添えられたユーザの左手親指によって操作される。左手によって十字ボタン２８等が操作されるとき、液晶パネル２６が遮られることはなく、液晶パネル２６の視認性が良好に保たれている。
【００２４】
図５に示すように、カメラボディ３は前カバー３ａ、後カバー３ｂとによって覆われている。カメラボディ３の内部には、回路基板３５、メモリカード装着部３９、バッテリ収容部４０等が設けられている。
【００２５】
回路基板３５の一方の面にはレンズ鏡筒側マウント部１５の接点群に接触する端子群を有する端子群形成部３６、端子群形成部３６に形成された各端子に接続され、ＲＯＭ、ＳＤＲＡＭ、ＣＰＵ、各種制御回路や各種処理回路等が形成された集積回路部３７、記録媒体であるメモリカードを抜き差し自在なメモリカード装着部３９及び電源であるバッテリを収容するバッテリ収容部４０が一体に設けられている。回路基板３５の他方の面には液晶パネル２６及び液晶パネル２６の駆動を制御する駆動制御回路が設けられている。なお、記録手段は集積回路やメモリカードによって構成される。
【００２６】
回路基板３５の前面には一方の端から他方の端に向かって、端子群形成部３６、集積回路部３７、メモリカード装着部３９の順に配置されている。これにより、撮影時は、レンズ鏡筒４からの画像データが端子群形成部３６を介して集積回路部３７に伝送され、集積回路部３７で処理された画像データがメモリカード装着部３９を介してメモリカードに記録され、効率よくデータを処理することが可能となっている。
【００２７】
図６に示すように、レンズ鏡筒４には、ＣＣＤイメージセンサ２０、アナログ信号処理回路８５、タイミングジェネレータ（ＴＧと省略する）８７、ＳＤＲＡＭ８９、デジタル処理回路９１、シリアルインターフェース（以降、シリアルＩ／Ｆという）９３、ＲＯＭ９５、無線通信インターフェース（以降、無線通信Ｉ／Ｆという）９７、ＡＥ／ＡＦ演算回路９９、入力インターフェース１０２等が設けられている。
【００２８】
撮影光学系からの被写体光を光電変換によって電気的な画素信号に変換するＣＣＤイメージセンサ２０は、ＴＧ８７から供給される駆動パルスによって駆動が制御されている。アナログ信号処理回路８５には、相関二重サンプリング回路、増幅8回路、Ａ／Ｄ変換回路等が含まれている。相関二重サンプリング回路で画素信号はＣＣＤイメージセンサ２０のセルごとのＲＧＢアナログ信号に変換され、ＲＧＢアナログ信号は増幅回路で増幅される。ＲＧＢアナログ信号はＡ／Ｄ変換回路でデジタル化されて１画素当たり１２ビットのＲＡＷデータが形成される。形成されたＲＡＷデータはＳＤＲＡＭ８９に一時的に格納される。
【００２９】
デジタル処理回路９１では、ＳＤＲＡＭ８９から読み出された１画面分のＲＡＷデータが圧縮処理されて１画素当たり８ビットの輝度色差データ（以降、ＹＣデータという）が形成される。形成されたＹＣデータはＳＤＡＲＭ８９に一時的に記憶される。
【００３０】
シリアルＩ／Ｆ９３はレンズ鏡筒４がカメラボディ３にマウントされているときに、接点を介して行われるデータ通信を制御する。また、無線通信Ｉ／Ｆ９７は、カメラボディ３からの接続リクエスト信号を受けて、カメラボディ３との間で接続ネゴシエーションを行い、カメラボディ３との間に無線通信回線を確立する。ＳＤＲＡＭ２４に格納されたＹＣデータはシリアルＩ／Ｆ９３もしくは無線通信Ｉ／Ｆ９７を介してカメラボディ３側に送信される。
【００３１】
ＡＥ／ＡＦ演算回路９９は、被写体の輝度を判定し、判定に基づいて絞り値などを決定する。被写体の輝度の判定には、ＣＣＤイメージセンサ２０からの画素信号が用いられる。
【００３２】
ＲＯＭ９５は、例えば、不揮発性のメモリであるＥＥＰＲＯＭ（Electrically Erasable Programmable ROM）で構成され、レンズ鏡筒４の型式を示す形式データ、レンズ鏡筒４のシリアルナンバーを示すシリアルナンバーデータ、各種プログラム等が記憶されている。
【００３３】
入力インターフェース１０２は、撮影ボタン２２が押圧されたときにオン信号をカメラボディ３に伝送する。図示は省略するが撮影ボタン２２の下にはタクトスイッチが設けられ、撮影ボタン２２の押圧に応じてタクトスイッチからオン信号がシリアルインターフェース９３もしくは無線通信インターフェース９７を介してカメラボディ３側に伝送される。
【００３４】
カメラボディ３には、ストロボ制御回路５３、表示制御回路５４、ＣＰＵ５８、ＲＯＭ６１、ＳＤＲＡＭ６２、メディア制御回路６４、デジタル処理回路６７、圧縮処理回路６８、通信制御回路７３、無線通信Ｉ／Ｆ７４、シリアルＩ／Ｆ７６、マウント検知回路７７、バッテリ制御回路８０、バッテリ８２等が備えられている。
【００３５】
ＲＯＭ６１は、例えば不揮発性のフラッシュメモリで構成され、カメラボディ３を制御するための各種プログラムを格納しており、ＣＰＵ５８は適宜ＲＯＭ６１から適当なプログラムを読み出して実行する。なお、ＣＰＵ５８はその他にもメモリカード６５に画像データを書き込むメディア制御回路６４の制御、液晶パネル２６の駆動を制御する表示制御回路５４の管制等も行っている。
【００３６】
ストロボ制御回路５３は発光部７の駆動を制御している。マウント検知回路７７によってレンズ鏡筒４がカメラボディ３から分離していることが検知されたときや、レンズ鏡筒４のフラッシュ装置９４が優先状態に設定されているときには、ストロボ制御回路５３は発光部７の駆動を禁止する。なお、発光部７の駆動が禁止されると、液晶パネル２６に発光禁止状態であることを示すマークが表示されてユーザに告知される。
【００３７】
表示制御回路５４は、液晶パネル２６に画像を表示する。例えば、モードダイヤル１３２が撮影モードにセットされているときには、被写体画像が所定のフレームレートで間欠的に更新されるスルー画像を液晶パネル２６に表示させる。
【００３８】
ＣＰＵ５８は、レンズ鏡筒４のＲＯＭ３４にアクセスしてデータを読み出し、読み出されたデータをＳＤＲＡＭ６２に一時的に記憶させる。例えば、レンズ鏡筒４がカメラボディ３に装着されると、ＣＰＵ５８はＲＯＭ９５から、レンズ鏡筒４の型式、シリアルナンバーデータを読み出す。ＲＯＭ９５から読み出されたデータはカメラボディ３のＳＤＲＡＭ６２に書き込まれ、レンズ鏡筒４の形式、シリアルナンバー等が登録され、これによって複数のレンズ鏡筒４を使い分けることが可能となる。
【００３９】
マウント検知回路７７は、レンズ鏡筒４のサブバッテリの電圧を検出し、電圧が検知されたときにはレンズ鏡筒４がカメラボディ３に装着されていると判定し、電圧が検知されないときにはレンズ鏡筒がカメラボディ３から分離していると判定する。
【００４０】
無線通信Ｉ／Ｆ７４は、レンズ鏡筒４側の無線通信Ｉ／Ｆ３８と接続ネゴシエーションを行って無線通信回線を確立する。これにより、レンズ鏡筒４からのＹＣデータ信号の受信が可能となるほか、レンズ鏡筒４に向けて各種コマンド信号を無線送信できるようになる。
【００４１】
通信制御回路７３は、マウント検知回路７７からのマウント検知信号に応じてシリアルＩ／Ｆ７６をオンし、無線通信Ｉ／Ｆ７４をオフする。また、マウント検知回路７７によってレンズ鏡筒４のマウントが検知されないときは、シリアルＩ／Ｆ７６をオフし、無線通信Ｉ／Ｆ７４をオンする。通信制御回路７３によって無線通信Ｉ／Ｆ７４がオンされると、無線通信Ｉ／Ｆ７４からレンズ鏡筒４に接続リクエスト信号が送信され、無線通信回線が確立される。無線通信回線の確立後、無線通信を介してレンズ鏡筒４からカメラボディ３にデータが送信される。
【００４２】
ＣＰＵ５８は、レンズ鏡筒４側からの各種信号を受けて、各種コマンド信号を各部に伝送する。例えば、レンズ鏡筒４側からオン信号を受信したときは、画像データの記録を命令する書き込みコマンド信号をメディア制御回路３８に伝送する。
【００４３】
メディア制御回路６４は、カード装着部に差し込まれたメモリカード（記録媒体）６５にアクセスして、画像データの書き込み等を制御する。メディア制御回路６４は、ＣＰＵ５８からの書き込みコマンド信号を受けて、画像データをメモリカード６５に書き込む。また、モードダイヤル１３が再生モードに合わせられているとき、ＣＰＵ５８からの読み出しコマンド信号を受けて、画像データをメモリカード６５から読み出す。
【００４４】
本発明の作用について図７を用いて説明する。被写体を撮影するとき、正面から見て、カメラボディ３の左側に設けられたレンズ鏡筒４がユーザの右手によって把持され、カメラボディ３の右側に設けられた把持部１１がユーザの左手によって把持される。右手の親指はレンズ鏡筒４の腹部にあてられ、残りの指はレンズ鏡筒４の背部にあてられる。撮影ボタン２２やズームボタン２４は、例えば人差し指や中指などで押圧操作され、これによりユーザは右手でレンズ鏡筒４をホールドしながら撮影ボタン２２等を操作することができる。カメラボディ４の把持部１１前面には左手の人差し指、中指、薬指、小指があてられ、背面には親指があてられる。十字操作部２８は左手の親指で操作され、これにより、左手でカメラボディ４をホールドしながら操作ボタンを操作することができる。
【００４５】
デジタルカメラ２の電源がオンされ、モードダイヤル１３が撮影モードに合わせられると、ＣＣＤイメージセンサ２０が駆動を開始し、被写体画像が間欠的に更新されるスルー画像が液晶パネル２６に表示される。撮影ボタン２２が右手の中指等によって押されると、記録開始信号がカメラボディ３側に送信される。記録開始信号の受信に応答してＣＰＵ５８は書き込みコマンド信号がメディア制御回路６４に伝送され、メディア制御回路６４は書き込みコマンド信号を受けて画像データをメモリカード６５に書き込む。このように左手及び右手を使ってデジタルカメラ２を保持することにより、デジタルカメラ２を確実にホールドすることができる。
【００４６】
なお、上記の実施形態では、レンズ鏡筒がカメラボディに装着されたとき、撮影ボタンはレンズ鏡筒の上端に位置したが、レンズ鏡筒がカメラボディに装着されたとき、撮影ボタンがレンズ鏡筒の左端に位置するようにしてもよい。撮影ボタンをこのように配置することにより、右手でレンズ鏡筒を保持ながら撮影ボタンを押圧しやすくなることが期待できる。
【００４７】
また、上記の実施形態では左手の親指によって操作される十字操作ボタン２８などをカメラボディ３の背面に備えたが、十字操作ボタンの配置はこれに限らず、カメラボディの左側の上部に設けてもよい。図８に示すように、デジタルカメラ１２０は、小サイズなカメラボディ１２２の前面の右側にレンズ鏡筒１２４が装着されている。カメラボディ１２２の左側にはグリップ部１２６が形成され、カメラボディ１２２の左側の上部には操作部である十字操作部１２８が設けられている。十字操作部１２８は、グリップ部１２６を握りながら親指で操作できるように配置されている。これによりデジタルカメラの操作性を高めることができる。また、カメラボディの背面に備えられる表示画面のサイズを大型化でき、被写体のスルー画像やメニュー画像等を見やすくすることができる。
【００４８】
また、上記のカメラでは、レンズ鏡筒がカメラボディに着脱自在であったが、本発明はこれに限らず、レンズ鏡筒がカメラボディに固定されたカメラに適用してもよい。
【００４９】
なお、上記の実施形態では、デジタルカメラを例示したが、本発明はこれに限らず、写真フイルムに被写体画像を記録する銀塩カメラに適用してもよい。
【図面の簡単な説明】
【００５０】
【図１】レンズ鏡筒とこのレンズ鏡筒を着脱自在に装着するカメラボディとから構成されるデジタルカメラの前面を観察した外観斜視図である。
【図２】デジタルカメラの背面を観察した外観斜視図である。
【図３】デジタルカメラを前面から見た前面図である。
【図４】カメラボディを背面から観察した背面図である。
【図５】カメラボディの前カバーと後カバーとに分解した分解して内部の基板を概略的に示した分解斜視図である。
【図６】レンズ鏡筒及びカメラボディの電気的な構成を概略的に示したブロック図である。
【図７】左手でカメラボディを把持し、右手でレンズ鏡筒を把持した状態を示す説明図である。
【図８】十字操作部をカメラボディの左側の上部に配置したデジタルカメラを斜め前方から観察した外観斜視図である。
【符号の説明】
【００５１】
２  デジタルカメラ（カメラ）
３  カメラボディ
３ａ  前カバー
３ｂ  後カバー
４  レンズ鏡筒
４ａ  鏡筒本体
１１  グリップ部（把持部）
１２  カメラボディ側マウント部
１５  鏡筒側マウント部
２０  ＣＣＤイメージセンサ
２２  撮影ボタン
２４  ズームボタン
２６  液晶パネル（表示画面）
２８  十字操作ボタン（操作部）
３５  回路基板
３６  端子群形成部
３７  集積回路部
６５  メモリカード
【図１】
2007279486.tif 000003
【図２】
2007279486.tif 000004
【図３】
2007279486.tif 000005
【図４】
2007279486.tif 000006
【図５】
2007279486.tif 000007
【図６】
2007279486.tif 000008
【図７】
2007279486.tif 000009
【図８】
2007279486.tif 000010